(57)【特許請求の範囲】
【請求項１】
様々な送信情報を搬送する様々なチャネルに対応する様々な信号またはチャネル信号が重畳したものである送信信号の様々な伝搬経路に対応する様々な信号または経路信号が重畳したものである信号を受信する、ＣＤＭＡ移動無線通信システムのための受信機であって、前記受信機は、前記様々な伝搬経路を利用することによって、所与のチャネルで搬送される送信情報を回復する前に、
前記所与のチャネルとは異なる少なくとも１つのチャネルに対応する送信チャネル信号の様々な伝搬経路に対応する様々な経路信号が重畳したものである、受信チャネル信号である少なくとも１つの干渉信号を推定するための手段と、
前記受信信号から、前記少なくとも１つの推定干渉信号を減算するための手段とを備えることを特徴とする、ＣＤＭＡ移動無線通信システムのための受信機。
【請求項２】
前記所与のチャネルがダウンリンク専用チャネルであり、前記所与のチャネルとは異なる前記少なくとも１つのチャネルが、ダウンリンク共通チャネルである、請求項１に記載の受信機。
【請求項３】
前記少なくとも１つの干渉信号を推定するための前記手段が、
推定値ｈ＾（ｔ）を与える、前記送信チャネルのチャネルインパルス応答ｈ（ｔ）を推定するための手段と、
前記干渉信号の推定値ｃ（ｔ）＊ｈ＾（ｔ）を与える、ｃ（ｔ）＊ｈ＾（ｔ）（ここで、ｃ（ｔ）は、前記所与のチャネルとは異なる前記少なくとも１つのチャネルに対応する送信チャネル信号であり、＊は畳込み演算子である）を計算するための手段とを備える、請求項１または２に記載の受信機。
【請求項４】
前記少なくとも１つの受信チャネル信号を推定するための前記手段が、
推定値ｈ＾（ｔ）を与える、前記送信チャネルのチャネルインパルス応答ｈ（ｔ）を推定するための手段と、
推定値ｃ＾（ｔ）を与える、前記所与のチャネルとは異なる前記少なくとも１つのチャネルに対応する送信チャネル信号ｃ（ｔ）を推定するための手段と、
前記干渉信号の推定値ｃ＾（ｔ）＊ｈ＾（ｔ）を与える、ｃ＾（ｔ）＊ｈ＾（ｔ）（ここで、＊は畳込み演算子である）を計算するための手段とを備える、請求項１に記載の受信機。
【請求項５】
さらに、
前記推定干渉信号のパワーに応じて、減算するための前記手段を制御するための手段を備える、請求項１から４のいずれか一項に記載の受信機。
【請求項６】
前記手段が、
前記少なくとも１つの推定干渉信号のパワーＰを決定するための手段と、
基準Ｐ＞α×Ｉ（ここで、αは所与のパラメータであり、Ｉは基準パワーである）が有効である場合に、前記減算を可能にするための手段とを備える、請求項５に記載の受信機。
【請求項７】
請求項１から６のいずれか一項に記載の受信機を含んでいる、ＣＤＭＡ移動無線通信システムのための装置。
【請求項８】
請求項１から６のいずれか一項に記載の受信機を含んでいる、ＣＤＭＡ移動無線通信システムのためのユーザ装置。
【発明の詳細な説明】
【０００１】
【発明の属する技術分野】
本発明は、一般に、移動無線通信システムに関する。
【０００２】
【従来の技術】
移動無線通信システムでは、高サービス品質および／または高容量を始めとする、より高い性能が一般的に求められている。同時に、小型で安価、かつ、消費パワーの小さい装置、特にユーザ装置（または移動局）が一般的に求められている。
【０００３】
通常、移動無線通信システムでは、多重アクセス技法を用いて様々なユーザに異なるチャネルを割り当てることにより、複数のユーザによる所定帯域幅の共有を可能にしている。
【０００４】
ＣＤＭＡ（符号分割多重アクセス）システムでは、様々なチャネルが様々な拡散符号に対応し、拡散符号の各々が、知られているスペクトラム拡散技法の原理に従って、基本レートから高レート（またはチップレート）への信号の拡散を可能にしている。
【０００５】
知られているように、ＣＤＭＡシステムは干渉に制限されるシステムである。すなわち、干渉レベルが増加し過ぎると、性能（品質および／または容量の意味において）が許容不可値まで低下する。したがって、性能を改善するためには、このようなシステムにおける干渉を低減しなければならない。
【０００６】
通常、できる限り互いに直交している拡散符号を用いることによって干渉を低減することができるが、同一送信信号の様々な伝搬経路に対応する様々な信号が重畳したものである受信信号（以下、経路信号とも呼ぶ）を受信機が受信する場合、直交拡散符号を選択した場合においても、なお干渉が生じる。このような様々な経路信号は、環境の様々な要素による反射によって自然に作り出されることがあり、あるいは、ダイバーシティ伝送技法を用いることによって、すなわち、異なるネットワーク装置または基地局から同一の移動局へ同時に伝送することによって、故意に作り出すことができる。
【０００７】
ＣＤＭＡシステムでは、例えばＴＤＭＡ（時分割多重アクセス）システムなどの他の多重アクセスシステムとは逆に、このような多重経路伝搬を受信機に利用して、検出信号の品質を改善することができる。
【０００８】
例えば、いわゆるレイク（Ｒａｋｅ）受信機では、検出信号の品質を最適化するために、異なるフィンガすなわち経路が設けられており、各フィンガが所与の経路信号を処理し、異なるフィンガから供給される結果が最善の方法で結合されている。
【０００９】
しかし、各フィンガに印加される信号は、様々な伝搬経路に対応する様々な経路信号が重畳したものであるため、所与の経路信号の処理には、なお他のすべての経路信号からの干渉が伴っている。
【００１０】
この問題は、移動局における受信機、またはネットワークから移動局へのダウンリンク伝送方向の場合、以下の理由によりさらに深刻である。
【００１１】
システムを正しく動作させるために、移動無線通信システムでは、通常、ユーザ間での伝送を意図したユーザ情報の他に、いくつかの共通情報、特に、移動局のネットワークとの同期を可能にする情報の、ネットワークによるすべての移動局に向けた同報通信が必要である。したがって、ダウンリンク方向に伝送される信号は、様々な信号（以下、チャネル信号とも呼ぶ）が重畳したものであり、これらの種類の異なる情報を搬送する様々なチャネル（または物理チャネル）に対応し、通常、それぞれダウンリンク専用物理チャネル、ダウンリンク共通物理チャネルと呼ばれている。
【００１２】
例えば、ＵＭＴＳ（ユニバーサル移動電気通信システム）のような広帯域ＣＤＭＡシステムでは、このようなダウンリンク共通物理チャネルは、以下のチャネルを備えることができる。
・周波数同期化および／または時間同期化を実行するための、移動局用物理同期チャネル（ＰＳＣＨ）。ＵＭＴＳ内には、スロット同期化を実行する一次同期チャネルと、フレーム同期化を実行し、セルのダウンリンクスクランブル符号のスクランブル符号グループを識別する二次同期チャネルの２つの同期チャネルがある。
・システム情報（セル数、ランダムアクセスチャネル（ＲＡＣＨ）スクランブル符号など）を与えるブロードキャストチャネル（ＢＣＨ）を搬送する一次共通制御物理チャネル（Ｐ−ＣＣＰＣＨ）。
・ページングチャネル（ＰＣＨ）および順方向アクセスチャネル（ＦＡＣＨ）を搬送する二次共通制御物理チャネル（Ｓ−ＣＣＰＣＨ）。
・チャネル推定またはハンドオーバなど、いくつかの目的に使用される一次および二次共通パイロットチャネル（Ｐ−ＣＰＩＣＨおよびＳ−ＣＰＩＣＨ）。
【００１３】
ダウンリンク共通チャネルは、セル内のすべての移動局（ＭＳ）が受信しなければならないため、その伝送パワーは極めて大きく、例えば、基地トランシーバ局（ＢＴＳ）の総伝送パワーの１０％に達するものと思われる。さらに、ダウンリンク共通チャネルは、パワー制御されていない（すなわち、その伝送パワーが一定）。
【００１４】
したがって、移動局が基地トランシーバ局に近づくと、所定の経路について、他のすべての経路からのダウンリンク共通チャネル信号による、その移動局のダウンリンク専用チャネル信号に生じる干渉が著しくなる。したがって、同一品質を維持するために、または、ダウンリンクの信号対干渉比（ＳＩＲ）を所与の目標ＳＩＲの近くに維持するために、移動局は、これらのシステムに一般的に設けられているパワー制御ループ機構を介して、その専用チャネル信号の伝送パワーを増加するよう、要求することになる。伝送パワーの増加は、移動局に対する干渉をさらに増加することになり、そのために今度は、上記パワー制御ループ機構を介して、基地トランシーバ局の伝送パワーの増加を要求することになる。したがって総パワーが決まっている場合、この伝送パワーの増加により、ダウンリンクシステム容量が喪失することになる。したがって、システムの性能を改善するためには、可能な限り、このようなダウンリンク共通チャネル信号に起因する干渉を回避しなければならず、あるいは少なくとも低減しなければならない。
【００１５】
干渉相殺技法とも呼ばれる特定の処理技法が、システムの性能を改善するために提案されている。
【００１６】
ＷＯ  ９７／０８８４６に、サブトラクティブ多重アクセス干渉相殺のための方法が開示されている。ＷＯ  ９７／０８８４６では、無線加入者ユニットが、多重順方向リンク信号を受信し、各順方向リンク信号を介して伝送されるデータを推定している。これらの推定に応答して、受信する各順方向リンク信号に対して、関連する理想波形が生成される。処理する各順方向リンク信号に対して、搬送する信号を決定する前に、他の順方向リンク信号の理想波形が、その処理される順方向リンク信号の信号レベルから減算される。別の実施形態では、少なくとも推定されるパイロットチャネルに関連した信号レベルで、順方向リンク信号によって搬送される単一チャネルまたはチャネルのサブセットに関するデータが推定される。
【００１７】
ＥＰ  ０  ８７６  ００２に、少なくとも１つのユーザデータチャネルと、所望のデータチャネルが所与の経路につきパイロットチャネルと直交している複数のＬ個の経路上で受信される個別のパイロットチャネルとを含むコヒーレントＣＤＭＡ信号を受信し、復調するＣＤＭＡ受信機が開示されている。ＣＤＭＡ受信機はＬ個の経路復調器を備えており、各Ｌ個の経路復調器は、Ｌ個の経路の１つを介して受信されるＣＤＭＡ信号からのデータチャネルおよびパイロットチャネルを推定し、それぞれ、Ｌ個の減算器手段の特定の１つによって使用されるＬ−１個の相殺信号を生成している。Ｌ個の減算器手段の各々は、他のＬ−１個の経路復調器の様々な復調器によって作り出されるＬ−１個の相殺信号を、減算器手段に関連したＣＤＭＡ信号から減算するために使用されている。ある実施形態では、Ｌ−１個の相殺信号は、パイロット信号を復元したものであり、減算器手段の各々は、関連する復調器の前段に置かれ、復調器に入力される信号から復元パイロット信号を減算している。
【００１８】
したがって、これらの２つの参照文献は、同一の解決法に相当しており、レイク受信機の各フィンガ内において、パイロット信号の対応する経路信号が（または、第１の参照文献の場合では、総受信信号の対応する経路信号さえも）推定され、これら互いのフィンガによる処理の前に、互いのフィンガ内における互いの経路信号から減算されている。
【００１９】
図１に、この解決法を示す。受信機は典型的に、アンテナ１、レイク受信機２、および、アンテナ１とレイク受信機２との間に、中間処理装置３（ＲＦ処理装置、自動利得制御装置、受信フィルタなどを含む）を備えている。レイク受信機２は典型的に、Ｌフィンガ４１、４２、．．．４Ｌ、および結合器５を備えており、各フィンガは、送信チャネルのチャネルインパルス応答を推定するための手段６によって、知られている方法で制御されている。手段６は、様々な伝搬経路の振幅、位相および遅延を決定している。
【００２０】
【発明が解決しようとする課題】
この解決法の場合、干渉を相殺するためには、上述の推定を実行するためのＬ個の推定装置７１、７２、．．．７Ｌ、および、上述減算を実行するためのＬ（Ｌ−１）個の減算器８１２、．．．８１Ｌ、８２１、．．．８２Ｌ、．．．８Ｌ１、８Ｌ２、．．．が必要である。
【００２１】
この解決法の欠点は、数多くの信号処理および計算を必要とするため、装置が極めて複雑になり、消費パワーが大きいことである。このことは、特にユーザ装置（または移動局）用としては不適切である。
【００２２】
したがって、上述の欠点を回避し、効果的な干渉相殺を与える必要がある。
【００２３】
さらに、上述第１の参照文献では、このような干渉相殺が常に実行されている。つまり、パイロット信号が、有効信号を大して干渉していない時（例えば、移動局が基地局から離れている場合など）でさえ、干渉相殺を実行している。この場合、無駄な干渉相殺を実行していることになり、装置のパワー消費を不必要に増加させ、大きな欠点となっている。
【００２４】
上述第２の参照文献では、最小二乗平均誤差基準に基づくパイロット信号相殺のオン／オフ切換えが可能であり、最小二乗平均誤差レイクパワーを供給することができるが、このような基準を得るためには、多くの極めて複雑な処理および計算を必要とし、大きな欠点になっている。
【００２５】
したがって、ここでも、上述の欠点を回避し、有効な干渉相殺を実行し、あるいはしないための効果的な基準を与える必要がある。
【００２６】
【課題を解決するための手段】
本発明の目的は、様々な送信情報を搬送する様々なチャネルに対応する様々な信号またはチャネル信号が重畳したものである送信信号の様々な伝搬経路に対応する様々な信号または経路信号が重畳したものである信号を受信する、ＣＤＭＡ移動無線通信システムのための受信機であって、前記受信機は、所与のチャネルによって搬送される送信情報を回復する前に、前記様々な伝搬経路を利用することにより、
前記所与のチャネルとは異なる少なくとも１つのチャネルに対応する送信チャネル信号の様々な伝搬経路に対応する様々な経路信号が重畳したものである少なくとも１つの受信チャネル信号すなわち干渉信号を推定するための手段と、
前記少なくとも１つの推定干渉信号を、前記受信信号から減算するための手段とを備えている。
【００２７】
本発明の他の目的によれば、前記所与のチャネルは、ダウンリンク専用チャネルであり、前記所与のチャネルとは異なる少なくとも１つのチャネルは、ダウンリンク共通チャネルである。
【００２８】
本発明の他の目的によれば、前記少なくとも１つの干渉信号を推定するための前記手段は、
推定値ｈ＾（ｔ）を与える、送信チャネルのチャネルインパルス応答ｈ（ｔ）を推定するための手段と、
前記干渉信号の推定値ｃ（ｔ）＊ｈ＾（ｔ）を与える、ｃ（ｔ）＊ｈ＾（ｔ）（ここで、ｃ（ｔ）は、前記所与のチャネルとは異なる少なくとも１つのチャネルに対応する送信チャネル信号であり、＊は畳込み演算子である）を計算するための手段とを備えている。
【００２９】
本発明の他の目的によれば、前記少なくとも１つの干渉信号を推定するための前記手段は、
推定値ｈ＾（ｔ）を与える、送信チャネルのチャネルインパルス応答ｈ（ｔ）を推定するための手段と、
推定値ｃ＾（ｔ）を与える、前記所与のチャネルとは異なる少なくとも１つのチャネルに対応する送信チャネル信号ｃ（ｔ）を推定するための手段と、
前記干渉信号の推定値ｃ＾（ｔ）＊ｈ＾（ｔ）を与える、ｃ＾（ｔ）＊ｈ＾（ｔ）（ここで、＊は畳込み演算子である）を計算するための手段とを備えている。
【００３０】
他の目的によれば、前記受信機はさらに、
前記推定干渉信号のパワーに応じて、減算するための前記手段を制御するための手段を備えている。
【００３１】
他の目的によれば、制御するための前記手段は、
前記少なくとも１つの推定干渉信号のパワーＰを決定するための手段と、
基準Ｐ＞α×Ｉ（ここで、αは所与のパラメータであり、Ｉは基準パワーである）が有効である場合に、前記減算を可能にするための手段とを備えている。
【００３２】
本発明の他の目的は、上記種類の受信機を備えた、ＣＤＭＡ移動無線通信システムのための装置を提供することである。
【００３３】
本発明の他の目的は、上記種類の受信機を備えた、ＣＤＭＡ移動無線通信システムのためのユーザ装置を提供することである。
【００３４】
本発明のこれらの目的およびその他の目的は、添付の図面に照らして行った以下の説明から、より明らかになるであろう。
【００３５】
添付の図において、共通の構成要素は、同一の方法で示されている。
【００３６】
【発明の実施の形態】
本発明によれば、様々な送信情報を搬送する様々なチャネルに対応する様々な信号またはチャネル信号が重畳したものである送信信号の様々な伝搬経路に対応する様々な信号または経路信号が重畳したものである信号を受信する、ＣＤＭＡ移動無線通信システムのための受信機は、本質的に、所与のチャネルによって搬送される送信情報を回復する前に、前記様々な伝搬経路を利用することにより、前記所与のチャネルとは異なる少なくとも１つのチャネルに対応する送信チャネル信号の様々な伝搬経路に対応する様々な経路信号が重畳したものである少なくとも１つの受信チャネル信号すなわち干渉信号を推定するための手段と、
前記少なくとも１つの推定干渉信号を、前記受信信号から減算するための手段とを備えている。
【００３７】
本発明を次のように説明することもできる。
【００３８】
受信機が受信する信号は、受信フィルタを通過した後、一般的に次式で表すことができる。
【数１】
0004769366.tif 000002
【００３９】
ここで、
ｓ（ｔ）は有用信号、または、回復すべき送信情報を搬送する前記所与のチャネル（この例では、ダウンリンク専用物理チャネル）に対応する送信チャネル信号である。
【００４０】
ｃ（ｔ）は、前記所与のチャネルとは異なる少なくとも１つのチャネル（この例では、ダウンリンク共通物理チャネル）に対応する送信チャネル信号である。
【００４１】
＊は、畳込み演算子である。
【００４２】
ｈ（ｔ）は、送信フィルタおよび受信フィルタの寄与を含む、送信チャネルのチャネルインパルス応答である。
【００４３】
ｃ（ｔ）＊ｈ（ｔ）は、受信チャネル信号または送信チャネル信号ｃ（ｔ）に対応する干渉信号である。
【００４４】
ｂ（ｔ）は、雑音およびその他の干渉信号を表す。
【００４５】
第１の実施形態では、前記少なくとも１つの干渉信号は、例えばＵＭＴＳ内の受信機に知られている情報を搬送する少なくとも１つのダウンリンク共通チャネル、または、一次同期チャネル（Ｐ−ＳＣＨ）またはパイロットチャネル（ＣＰＩＣＨ）に対応する干渉信号である。
【００４６】
図２の例に示すように、この第１の実施形態では、本発明は、
推定値ｈ＾（ｔ）を与える、送信チャネルのチャネルインパルス応答ｈ（ｔ）を推定するための手段６と、
前記干渉信号の推定値ｃ（ｔ）＊ｈ＾（ｔ）を与える、ｃ（ｔ）＊ｈ＾（ｔ）（ここで、ｃ（ｔ）は、前記所与のチャネルとは異なる少なくとも１つのチャネルに対応する送信チャネル信号であり、＊は畳込み演算子である）を計算するための手段９と、
ｒ’（ｔ）＝ｒ（ｔ）−ｃ（ｔ）＊ｈ＾（ｔ）を計算するための手段１０とを使用している。
【００４７】
チャネルインパルス応答を推定するための手段６は、レイク受信機２のフィンガ４１、４２、．．．４Ｌを制御するために既に必要とされている手段であり、したがって、この手段により受信機がさらに複雑になることはない。
【００４８】
例えばＵＭＴＳでは、対応するチャネル信号が大きなパワーで受信されるため、このようなチャネルインパルス応答の推定は、ＣＰＩＣＨを用いて実行することが好ましい（しかし、チャネルの推定は、例えばＤＰＣＣＨ（専用物理制御チャネル）など、他のチャネルを使用して実行することも可能である）。その場合、チャネルインパルス応答は、通常、次式により推定される。
【数２】
0004769366.tif 000003
【００４９】
ここで、ｐ（ｔ）は、すべての送信フィルタおよび受信フィルタの寄与を含み、かつ、そのエネルギーが１になるように正規化されている。α＾ｐは、ｐ番目の経路の複素振幅であり、τ＾ｐは、ｐ番目の経路の遅延である。
【００５０】
移動局が基地局に近い場合など、当該干渉信号のパワーが大きい場合、チャネルインパルス応答推定ｈ＾（ｔ）は、ほぼチャネルインパルス応答ｈ（ｔ）に等しく、したがって、信号ｒ’（ｔ）を次のように表すことができる。
【数３】
0004769366.tif 000004
【００５１】
この時、レイク受信機２または任意の他の処理手段内で、この信号を従来の方法を用いて処理することにより、有効信号ｓ（ｔ）を、信号ｒ’（ｔ）から推定することができる。
【００５２】
送信信号がフレームに構造化され、次にタイムスロットに構造化される、例えばＵＭＴＳのようなシステムでは、スロット毎に上記演算を実行することが好ましい。実際に、パワー制御を可能にしているパワー制御ビットなど、特定の情報については、スロット毎に（短い周期で）回復しなければならない。
【００５３】
この第１の実施形態では、信号ｃ（ｔ）は、受信機が知るべき信号と見なしている。例えばＣＰＩＣＨの場合、信号ｃ（ｔ）は、拡散およびスクランブルを含んでおり、各スロットに対して、次式で表すことができる。
【数４】
0004769366.tif 000005
【００５４】
ここで、Ｎは、スロット毎のシンボル数、（ｄ０、．．．、ｄＮ−１）は、そのスロットのＮ個のシンボル、ｃ（ｃｈ）は、長さＱのチャネル化符号（Ｑは拡散係数）、ｃ（ｓｃｒａｍｂ）は、そのスロットで使用される複素スクランブル符号、Ｔｃはチップ周期、δ（ｔ）は、ディラック関数（ｔ＝０の場合、δ（ｔ）＝１、それ以外では、δ（ｔ）＝０）を、それぞれ表している。
【００５５】
第２の実施形態では、前記少なくとも１つの干渉信号は、受信機が未知の情報を搬送する少なくとも１つのダウンリンク共通チャネルに対応している。
【００５６】
この第２の実施形態では、図３の例に示すように、本発明は、
推定値ｈ＾（ｔ）を与える、送信チャネルのチャネルインパルス応答ｈ（ｔ）を推定するための手段６と、
推定値ｃ＾（ｔ）を与える、前記所与のチャネルとは異なる少なくとも１つのチャネルに対応する送信チャネル信号ｃ（ｔ）を推定するための手段１１と、
前記干渉信号の推定値ｃ＾（ｔ）＊ｈ＾（ｔ）を与える、ｃ＾（ｔ）＊ｈ＾（ｔ）（ここで、＊は畳込み演算子である）を計算するための手段９’と、
ｒ’（ｔ）＝ｒ（ｔ）−ｃ＾（ｔ）＊ｈ＾（ｔ）を計算するための手段１０’とを使用している。
【００５７】
したがって図２との相違は、受信機が未知の信号ｃ（ｔ）を推定しなければならないことである。
【００５８】
信号ｃ（ｔ）を推定するための手段１１は、例えばレイク受信機技法など、任意の従来処理技法を用いて、前記少なくともダウンリンク共通チャネルによって搬送される情報を、受信信号ｒ（ｔ）から回復し、かつ、回復した情報から信号ｃ（ｔ）を復元することができる。
【００５９】
本発明による解決法を用いて、１つまたは複数のダウンリンク共通チャネルによる干渉を、受信信号から除去することができる。複数のダウンリンク共通チャネルからの干渉を除去しなければならない場合、チャネルインパルス応答の推定演算、および、その推定チャネルインパルス応答による畳込み演算を、これら様々なダウンリンク共通チャネルに対して、単一ステップ（ダウンリンク共通チャネル毎の単一ステップではない）で実行することができる。したがって、僅か１チャネルではなく、すべての知られているダウンリンク共通チャネルを除去するために、ほとんど問題にならない程度の複雑さが加わるだけである。
【００６０】
本発明による干渉相殺は、常に用いることができる。または、前記少なくとも１つの干渉信号がほとんど受信されない（したがって、有効信号をほとんど干渉しない）場合においても、干渉相殺することができる。この場合、性能を改善することはないが、性能を低下させることもない。
【００６１】
しかし、受信機（特に、移動局受信機）のパワー消費を低減するために、真に必要な時にのみ、干渉相殺を実行することができる。
【００６２】
また、受信機（特に、移動局受信機）の複雑さを軽減するために、干渉相殺の実行基準、または干渉相殺を実行しない基準は、前記少なくとも１つの推定干渉信号のパワーＰに基づいていることが有利である。
【００６３】
例えば、次の基準が有効である場合のみ、干渉相殺を実行することができる。
Ｐ＞α×Ｉ
【００６４】
ここで、αは所与パラメータであり、Ｉは基準パワーであり、例えば推定合計干渉パワーまたは受信信号の合計パワー（任意の知られている技法に従って決定することができる）である。
【００６５】
推定干渉信号のパワーＰについても、任意の知られている技法に従って決定することができる。
【００６６】
例えば、ＵＭＴＳでは、干渉信号がダウンリンク共通物理チャネルＣＰＩＣＨに対応する場合、推定チャネルインパルス応答ｈ＾（ｔ）から、パワーＰＣＰＩＣＨを計算することができる。または、
【数５】
0004769366.tif 000006
【００６７】
実際には、積分は、離散的な合計に置き換えられる。
【００６８】
ＵＭＴＳでは、チャネルインパルス応答は、通常、次式によって推定される。
【数６】
0004769366.tif 000007
【００６９】
ここで、ｐ（ｔ）は、すべての送信フィルタおよび受信フィルタの寄与を含み、かつ、そのエネルギーが１になるように正規化されている。α＾ｐは、ｐ番目の経路の複素振幅であり、τ＾ｐは、ｐ番目の経路の遅延である。この場合、
【数７】
0004769366.tif 000008
【００７０】
したがって、図２または図３の例に示すように、受信機はさらに、
前記推定干渉信号のパワーに応じて、減算するための前記手段（１０または１０’）を制御するための手段（１２または１２’）を備えている。
【００７１】
また、図に示す例では、手段１２または１２’は、
前記少なくとも１つの推定干渉信号のパワーＰを決定するための手段１３または１３’と、
Ｐ＞α×Ｉ（ここで、αは所与のパラメータであり、Ｉは基準パワーを表し、例えば、推定合計干渉パワーまたは受信信号の合計パワーである。）の基準が有効である場合に、前記減算を可能にするための手段１４または１４’とを備えている。
【００７２】
このような基準を、本発明による種類の干渉相殺のみならず、任意の種類の干渉相殺に適用できることを指摘しておく。
【００７３】
また、開示例におけるｈ（ｔ）は、送信チャネルのチャネルインパルス応答だけでなく、送信フィルタおよび受信フィルタの寄与、さらに信号ｃ（ｔ）の伝送パワーをも含んでいることを指摘しておく（複数の信号が伝送される場合は、ｈ（ｔ）は、当該例におけるＣＰＩＣＨである、送信信号中の一送信信号のパワーに対して正規化される）。実際に、この例では、ｃ（ｔ）は、送信フィルタおよびパワー増幅器の前段の送信信号を表している。より一般的には、任意の所与係数をｃ（ｔ）に掛け合わせ、同時に同じ係数でｈ（ｔ）を除算することによって、ｃ（ｔ）＊ｈ（ｔ）を一定に保つことができる。
【００７４】
また、通常、ｃ（ｔ）＊ｈ（ｔ）の計算はディジタル方式、すなわちサンプル信号（したがって、連続信号ではない）に対して実行される。したがって、計算は、送信信号のサンプルに対して実行され、その信号は通常、Ｔｃ／ｅ毎にサンプルされる。ここでＴｃはチップ周期であり、ｅはオーバサンプリング係数（整数）である。
【図面の簡単な説明】
【図１】従来技術による受信機を示す線図である。
【図２】本発明の第１の実施形態による受信機の一例を示す線図である。
【図３】本発明の第２の実施形態による受信機の一例を示す線図である。
【符号の説明】
１  アンテナ
２  レイク受信機
３  中間処理装置
４１、４２、４Ｌ  Ｌ個のフィンガ
５  結合器
６  チャネルインパルス応答を推定するための手段
７１、７２、７Ｌ  Ｌ個の推定装置
８１２、８１Ｌ、８２１、８２Ｌ、８Ｌ１、８Ｌ２  Ｌ（Ｌ−１）個の減算器
９  ｃ（ｔ）＊ｈ＾（ｔ）を計算するための手段
９’  ｃ＾（ｔ）ｈ＾（ｔ）を計算するための手段
１０  ｒ’（ｔ）＝ｒ（ｔ）−ｃ（ｔ）＊ｈ＾（ｔ）を計算するための手段
１０’  ｒ’（ｔ）＝ｒ（ｔ）−ｃ＾（ｔ）＊ｈ＾（ｔ）を計算するための手段
１１  送信チャネル信号ｃ（ｔ）を推定するための手段
１２、１２’  制御手段
１３、１３’  推定干渉信号のパワーＰを決定するための手段
【図１】
0004769366.tif 000009
【図２】
0004769366.tif 000010
【図３】
0004769366.tif 000011